(57)【要約】【課題】  本発明は脱臭、揮発性有機化合物、さらに自動車排気ガス等の有害ガスの分解装置等に適用される陽極酸化アルミニウム皮膜を用いた触媒体(アルマイト触媒体)に関するもので、従来、本発明のアルマイト触媒体はその普及のためにコストの低減、生産工程の省エネルギー化、省資源化を図るものである。【解決手段】  本発明では、アルミニウムの（１，０，０）方位占有率が９０％以上であるアルミニウム基板の表面に特定形状のエッチングピットを形成すると共に、陽極酸化皮膜の厚さをより５μｍ以下に薄くして、かつ少量の触媒担持量で、充分な触媒分解反応性をもつ低コストのアルマイト触媒体にする。【選択図】  図３
2008126151.tif 000002
【特許請求の範囲】
【請求項１】
表面における（１，０，０）面の結晶方位占有率が９０％以上であるアルミニウム基板をエッチング処理によってアルミニウム基板面にピットを形成した後、さらに陽極酸化処理によって微細孔を有する皮膜を形成し、少なくとも当該皮膜の微細孔に触媒を担持したことを特徴とする陽極酸化アルミニウム皮膜を用いた触媒体。
【請求項２】
請求項１において上記ピットが、アルミニウム基板面に深さが１５μｍ以上で、径が０．３μｍ以上のアルミニウム基板面に対してほぼ垂直のピットであることを特徴とする陽極酸化アルミニウム皮膜を用いた触媒体。
【請求項３】
請求項１〜２において、形成された陽極酸化皮膜の厚さが５μｍ以下であり、陽極酸化皮膜に形成された微細孔の径が０．００５μｍ以上であることを特徴とする陽極酸化アルミニウム皮膜を用いた触媒体。
【請求項４】
請求項１〜３において、陽極酸化処理により皮膜に生成された微細孔に、パラジウム、白金、ルテニウム、ロジウム、イリジウム、ニッケル、コバルト、鉄、銅、亜鉛、金、銀、レニウム、マンガン、および錫、またはこれらの合金もしくは混合物のいずれかからなる触媒を担持したことを特徴とする陽極酸化アルミニウム皮膜を用いた触媒体。
【請求項５】
請求項１〜４における陽極酸化アルミニウム皮膜を用いたことを特徴とする環境浄化装置用触媒体。
【発明の詳細な説明】
【技術分野】
【０００１】
本発明は臭気、揮発性有機化合物、自動車排気ガス等の有害ガスを分解し、それらの排出を抑制するため、低価格で軽量小型の触媒反応装置を供給する目的に適用する「陽極酸化アルミニウム皮膜を用いた触媒体」（以下、アルマイト触媒体と略す）およびその製造方法に関するものである。
【背景技術】
【０００２】
アルマイト触媒体は脱臭装置、揮発性有機化合物分解装置、さらに自動車排気ガス、焼却燃焼ガス等の有害ガスの分解装置等の触媒反応体として負荷変動の減少、省エネルギー化、反応装置のコンパクト化等に非常に優れており、アルマイト触媒体を環境浄化装置に適用することによって、装置の小型軽量化が可能になる。
【０００３】
アルマイト触媒体はアルミニウムを陽極酸化し、その微細で表面積が大きい多孔質皮膜により多くの触媒を担持することができるので触媒反応効率が非常に高く、触媒反応体をコンパクトに設計することができる非常に優れた触媒体である。
【０００４】
したがって、環境保護、環境改善の見地からも有害ガスの分解性能に優れたアルマイト触媒体を活用した脱臭装置、揮発性有機化合物分解装置、自動車排気ガス分解装置、焼却燃焼ガス浄化装置等が広く普及することが求められている。
【０００５】
しかし、アルミニウムに微細な多孔質の皮膜を形成するための陽極酸化処理は電解処理によるものであり、電気量を多く消費する。そのために処理コストが高い。さらに、触媒に用いる金属類も高価であり、実用化のための量産化には支障がある。
【０００６】
まず、アルマイト触媒体に関しては特許文献１において既に開示されている。このアルマイト触媒体は多孔質アルミナ層表面に触媒を担時させ、触媒活性を高めたものである。
【０００７】
本発明はこのアルマイト触媒体の実用化技術として位置づけるもので、前記の有害ガス等の分解装置の開発、実用化に資するためにコストの低減、さらに触媒効率を高めるための新たな提案である。
【０００８】
触媒担体としてのアルミニウム等表面皮膜を活用した事例としては、たとえば、特許文献２および特許文献３においては、浄水、脱臭、有害ガス等の分解のために光触媒の触媒効率を高めるために、マグネシウム、マグネシウム合金を中心にマグネシウム系金属材料をまず機械的、化学的に粗面化加工をし、次いで陽極酸化皮膜を形成して、それに光触媒を担持させて、触媒効率を増大させる技術手段が提案されている。
【０００９】
しかし、ここには本発明の目的である陽極酸化処理時の電気量、電気エネルギーの節減、製造コスト削減をした上で、かつ、触媒反応効率を維持向上させるための対応技術は開示されていない。すなわち、陽極酸化処理に先立って行われる機械的、化学的粗面化加工の方法が示されているのみで、その粗面の状態、性状と触媒反応機能との関連は不明である。この触媒体の機械的、化学的粗面化の状態や性状が後処理である陽極酸化皮膜の状態、性状を決めることになる重要な要素である。
【００１０】
また、特許文献４におけるエキスバンド、エッチング等いずれかの加工をした薄板の不織性多孔性アルミニウム含有耐熱合金のＡｌ２Ｏ３を含む酸化層に触媒を担持した排ガス浄化装置のＡｌ２Ｏ３を含む酸化層は、陽極酸化による皮膜とはその皮膜構造が異なり、微細孔をもつ多孔質ではない。
【００１１】
さらに、特許文献５においては、空気調和機、熱交換機器の空気側伝熱表面のアルミニウム面にエッチング処理によりマクロ凹凸を施し、次いで水和処理によりミクロ凹凸の水和酸化物層をなし、その上に触媒層が形成される。触媒を担持する水和酸化物層の皮膜の厚さは実施例では約０．２μｍで、多孔間の連通はなく単純な凹凸状である。したがって、アルミニウムの陽極酸化による微細孔の多孔質皮膜とは性状が異なる。
また、本発明ではアルミニウム板若しくは箔の（１，０，０）方位占有率が９０％以上であるため、エッチング処理におけるマクロ凹凸がトンネル状に規則正しく得られることで表面倍率をさらに拡大できるとともに触媒としての性質が格段に良化する。
なお、(１，０，０)方位占有率の測定方法は、特開２００４−２５０７７２記載のアルミニウム材を塩酸：硝酸：フッ酸＝５０：４７：３の容積比を有する溶液中に浸漬し、結晶粒を現出させ、画像解析装置にて測定する方法によって行った。
【００１２】
また、特許文献６では、アルミニウムの陽極酸化による微細孔化、または、エッチングのいずれかの処理による表面積の増大によって触媒効率の向上を図るもので、本発明とは本質的に異なる手段である。
【００１３】
【特許文献１】特開昭６２−２３７９４７号公報
【特許文献２】特開２００５−１０３５０４号公報
【特許文献３】特開２００５−１０３５０５号公報
【特許文献４】特開２００５−３２５７５６号公報
【特許文献５】特開１０−２８１６９０号公報
【特許文献６】特開２００２−３０１３８１号公報
【発明の開示】
【発明が解決しようとする課題】
【００１４】
本発明のアルマイト触媒体は臭気、揮発性有機化合物、自動車排気ガス、焼却燃焼ガス等の有害ガスの分解に非常に有益なことが知られている。このアルミニウムの陽極酸化皮膜に生成された微細孔に触媒を担持したアルマイト触媒体を適用した上記の有害ガス等を分解する触媒反応装置の実用化を進めている。本触媒体の優れた有害ガス分解性能を触媒反応装置に適用し実用化、普及するには従来のアルマイト触媒体の触媒反応効率の上させることによって、アルマイト触媒体の材料面、生産工程面からのコスト低減、さらに省エネルギー化を課題にした解決が求められる。
【００１５】
そこで、従来の技術的手段では上記の課題を解決することは困難であったが、鋭意、研究の結果、従来の技術的手段に改善を加えることによって、上記の課題を解決できることが判明した。
【課題を解決するための手段】
【００１６】
本発明はアルミニウム基板をエッチング処理によりピットを形成し、次いでエッチングピットを形成したアルミニウム基板を陽極酸化処理し、皮膜を形成し、そこに形成した多孔質の微細孔に触媒を担持したアルマイト触媒体とその製造方法に関するものである。（図１参照）
すなわち、表面における（１，０，０）面の結晶方位占有率が９０％以上であるアルミニウム基板をエッチング処理によってアルミニウム基板面にピットを形成した後、さらに陽極酸化処理によって微細孔を有する皮膜を形成し、少なくとも当該皮膜の微細孔に触媒を担持したことを特徴とする陽極酸化アルミニウム皮膜を用いた触媒体である。
【００１７】
そして、上記ピットが、アルミニウム基板面に深さが１５μｍ以上で、径が０．３μｍ以上のアルミニウム基板面に対してほぼ垂直のピットであることを特徴としている。さらに、陽極酸化処理によって形成された皮膜の厚さが５μｍ以下であり、皮膜に形成された微細孔の径が０．００５μｍ以上である陽極酸化皮膜を形成することを特徴としている。
【００１８】
このような陽極酸化皮膜に形成された微細孔に、パラジウム、白金、ルテニウム、ロジウム、イリジウム、ニッケル、コバルト、鉄、銅、亜鉛、金、銀、レニウム、マンガン、および錫、またはこれらの合金もしくは混合物のいずれかからなる触媒を担持して環境浄化装置用触媒体をなす。
【００１９】
本発明においては、このアルミニウム基板に触媒を担持するアルミニウム皮膜の多孔質の微細孔を生成させるために陽極酸化処理を行う。電解処理としての陽極酸化処理は電気量を多量に消費する。したがって、生産工程における生産コスト削減のためには電気量の消費を削減することが必要になるが、そのためには陽極酸化皮膜を薄くすることになる。
【００２０】
また、電気量の削減は省エネルギーの観点からも環境保全に非常に望ましい。陽極酸化皮膜を薄くすると、必然的に当該皮膜の微細孔が少なくなり、触媒の担持容量も減少し、触媒担時量が少なくなる。したがって、そのままでは触媒反応性が維持できず、本来の機能である触媒効果が発揮できない。そこで、触媒担時量を削減した状態で、かつ触媒効果を従来と同等以上にすることが本発明の重要な技術的手段である。
【００２１】
したがって、陽極酸化皮膜の厚さを従来よりも薄くすること、そして、その薄い陽極酸化皮膜に担持可能な触媒量で、従来と同等以上の触媒効果が発揮できれば、陽極酸化処理コスト、触媒コストの両面でアルマイト触媒体のコスト低減が可能になる。
【００２２】
そこでまず、陽極酸化処理に伴う電気量の削減のために、それに伴う陽極酸化皮膜の厚さを薄くすることを検討した。前記のように単純に陽極酸化皮膜を薄くすると当該皮膜に生成する多孔質微細孔の深さが減少する為、触媒が担時される表面積が減少する。そこで、この陽極酸化皮膜の表面積を拡大し、それによって多孔質の微細孔を増加させる方法として、陽極酸化処理に先立ってエッチング処理によるピット形成を検討した。
【００２３】
このようなエッチング処理によるピットを形成させ、それをさらに陽極酸化処理をすることによって、陽極酸化皮膜の表面積を増大させることができ、前記の有害ガスと触媒との反応面積が増大することになり、触媒効率が向上することも可能になり、少ない触媒担持量でも従来と同等以上の触媒効率が発揮できると考えられる。
【００２４】
アルミニウム基板の表面積を拡大するためのエッチング処理は次のようなプロセスで行われる。まず、エッチング処理の前段で、塩素イオンを含む溶液（ｅｘ．塩酸）中での電気化学反応によって、アルミニウム基板の表面からトンネルピットを発生させ、後段で、酸性溶液（ｅｘ．硝酸）中での化学溶解もしくは中性または酸性溶液中での電気化学反応（電解）によってトンネルピットの径を拡大させる。
【００２５】
エッチング処理によってアルミニウム表面積の増大に有効なピット、特にピット深さと平均ピット径はアルミニウムの結晶方位に大きく左右されることが判明した。それはアルミニウム材質として純度が高い材質(例えば９９．３％以上)であっても（１，０，０）面の結晶方位占有率が９０％以上の材質であることが所望のピット深さとピット径を得るために必要条件であった図２参照）。
つまり、材質の(１，０，０)面積占有率を高くするためにはアルミ素材を熱処理することが必要であり、一般的にＯ材と呼ばれる材質を使用することが望ましいことが判明した。すなわち、触媒反応性を発揮するために必要なアルミニウム表面積のエッチングピット深さとピット径は、アルミニウムの結晶方位とほぼ関係することが解った。
【００２６】
さらに、エッチング処理により形成されるピットの形状は陽極酸化アルミニウム皮膜を用いた触媒体として前記の有害ガス等を高効率で、少量の触媒担持量でも有害ガスを分解するには有害ガスと触媒とが充分接触すること、かつ有害ガスがピットに充分入り込むこと、そして触媒反応で分解されたガスが容易に当該ピットから排出されることが必要な条件であった。そのためには、当該ピットがアルミニウム基板面に垂直方向に形成されていること、さらに当該ピット径が適正に確保されていることが要件であった。
【００２７】
当該ピット径は前出の有害ガスの分解を充分に行うこと、および触媒担持するためのアルミニウムの表面積を確保することを勘案し、当該ピット径の最適範囲が求められる。実験の結果、当該ピット径が０．３μｍ未満では孔が細すぎて反応ガスの出入が充分ではなく、触媒効率を低下が低下する。他方、当該ピット径が４μｍ以上の場合は充分な表面積が得られず、触媒担持量が減少し触媒機能が低下する場合があるので望ましくはない。ただし、絶対条件ではない。
【００２８】
このような現象は当該ピットの深さにも関係する。すなわち、エッチング処理によるピット径が一定以下であると、やはり反応ガスの出入が速やかではなくなり、触媒の反応速度の低下や触媒反応効率が低下する。陽極酸化皮膜の触媒担持する表面積を充分に確保するためにはアルミニウム基板からのピット深さは１５μｍ以上が必要であることが判明した。
他方、アルミニウム基板のピット深さの最長は、できるだけ、アルミニウム基板の厚さにおいて片側厚さの３０〜４０％程度が望ましい。この根拠はピット深さがアルミニウム基板の厚さにおいて片側４０％を超えるとアルミニウム基板の強度が不足し、破壊しやすくなったことによるものである。
【００２９】
アルミニウムの陽極酸化処理によって形成されたアルマイト皮膜はそこに生成した多孔質微細孔に微細な粒子の触媒をより多く、かつ強固に担持させることが可能である。このアルミニウムの陽極酸化処理は次のようなプロセスで行われる。陽極酸化の電解浴は酸性浴のみならず、アルカリ浴、あるいはホルムアルデヒドと硼酸系の非水浴によっても多孔質皮膜を形成することができる。
陽極酸化処理の酸性電解浴としては、燐酸、硫酸、蓚酸、クロム酸、スルフォサルチル酸、ピロリン酸、スルファミン酸、リンモリブデン酸、硼酸、マロン酸、マレイン酸、コハク酸、クエン酸、酒石酸、フタル酸、イタコン酸、リンゴ酸、グリコール酸等１種類以上を溶解した水溶液である。
【００３０】
この酸性浴における電解方法は定電流、定電圧、定電力、および連続、断続あるいは電流回復などを応用した高速アルマイト法などである。さらに電解時の電流波形は直流、交流、交直重畳、交直併用、不完全整流波形、パルス波形、三角波形、あるいは周期波形等が用いられる。
他方、アルカリ電解浴としては、水酸化ナトリウム、水酸化カリウム、炭酸ナトリウム、炭酸カリウム、燐酸ナトリウム、燐酸カリウム、アンモニア水等１種類以上を溶解した水溶液である。アルカリ電解用の場合も電解方法、電流波形は酸性電解浴の場合と同様である。
【００３１】
そこで、この陽極酸化処理工程のコスト削減のために陽極酸化皮膜の厚さをより薄くすることによって消費電気量の削減、それによる生産コストの低減を検討した。本発明では、エッチング処理によるピットと陽極酸化皮膜とを併用することによってアルミニウム基板の陽極酸化皮膜の表面積を増大することができる。すなわち、エッチング処理によるピットのマクロポアの中に陽極酸化処理による皮膜に生成された多孔質微細孔のミクロポアが存在して、表面積が増大するものである図３、図４参照）。
このようにアルミニウム基板にエッチング処理によるマクロポアと陽極酸化処理によるミクロポアとを形成させた場合には、そのミクロポアの総表面積は陽極酸化皮膜のみの微細孔の表面積に比べて、１０〜１００倍に増大することになる。すなわち、アルミニウム基板の陽極酸化皮膜の厚さはエッチング処理によるピット形成によって表面積が増大する分だけ薄くできることになる。
【００３２】
次ぎに、陽極酸化皮膜の微細孔に担持する触媒とその担持方法は次のとおりである。脱臭、揮発性有機化合物、自動車排気ガス等の有害ガス分解処理に適用できる触媒はパラジウム、白金、ルテニウム、ロジウム、イリジウム、ニッケル、コバルト、鉄、銅、亜鉛、金、銀、レニウム、マンガン、および錫、またはこれらの合金もしくは混合物のいずれか、である。
これらの触媒、たとえば、白金触媒の場合には、塩化白金酸にアルミニウム基板を低圧で含浸させることによって担持させる。このような触媒担持は、その他に、加圧含浸、減圧含浸、ゾルゲル法、電気泳動法等々により行われる。
【００３３】
このような触媒担持方法によって、アルミニウム基板のエッチング処理ピットに形成された従来の陽極酸化皮膜の１／１０〜１／１００倍の皮膜の微細孔に触媒を担持し、触媒量と触媒反応効果を検討した。理論的には陽極酸化皮膜の総表面積が増大した分に応じて触媒反応に必要な触媒担持量は増加すると考えられる。
【００３４】
なお、この場合に触媒金属の粒子径が１〜４ｎｍであるので、陽極酸化皮膜に生成した微細孔の径は０．００５〜０．１μｍであることが必要である。
【００３５】
しかし、他方、触媒が有害ガスを分解するために有害ガスと接触する接触面積、すなわち、触媒と有害ガスとの反応点は陽極酸化皮膜の表面積増大と共に増加するので、触媒の反応効率は向上する。
さらに、陽極酸化皮膜が薄くなることによって、そこに生成した微細孔は皮膜の表層部に存在するので、皮膜の深さ方向の下層に触媒が担持される量は少なくなる、すなわち、陽極酸化皮膜の下層に担持された触媒は有害ガスとの接触が非常に少なく、分解反応への寄与は小さいものである。
【発明の効果】
【００３６】
従来の触媒担持量が平均的に０．５ｇ／ｍ２であったが、実施例のように本発明の事例では、触媒担持量が０．２ｇ／ｍ２において、従来のアルマイト触媒体とほぼ同等の触媒効果を示した。
【００３７】
実施例にて、前記のアルミニウム基板のエッチング処理によるピット性状、さらに陽極酸化皮膜の厚さを有するアルマイト触媒体に触媒を担持し、触媒効率を評価検討した。本発明は臭気、揮発性有機化合物、自動車排気ガス等の有害ガスの分解装置に適用するアルマイト触媒体であり、そのアルマイト触媒体のコスト低減を目的にしたものである。製造工程コストに関しては、消費電気量が高いアルミニウムの陽極酸化処理について検討した。
【００３８】
従来のアルマイト触媒体の陽極酸化皮膜の厚さは４０〜５０μｍであった。これに比して、本発明におけるアルマイト触媒体の陽極酸化皮膜の厚さは５μｍ以下で、最良の陽極酸化皮膜の厚さは０．８μｍである。すなわち、本発明の陽極酸化皮膜の厚さは従来の陽極酸化皮膜の厚さの１／１０〜１／１００倍になる。
したがって、このアルミニウムの一連の処理において陽極酸化処理に掛かる電気量は非常に大きく、そのコストは電気量に左右されるので、陽極酸化処理コストの低減ができる。
【００３９】
そこで、従来の陽極酸化処理に掛かる電気量と本発明の表面処理工程、すなわち、「エッチング処理（電気量＋薬品量等）＋陽極酸化処理（電気量）」の消費電気量をベースに比較すると、本発明のコストは１／７倍であった。
【００４０】
さらに、従来の陽極酸化皮膜のみのアルマイト触媒体への担持量よりも少ない触媒担持量によって、ほぼ同等の触媒効果を上げることができる。本発明では触媒担持量が従来の２／５倍であり、その分だけ材料費のコスト低減が可能である。
このようなエッチング処理によるピットの形成と陽極酸化処理皮膜の形成によって、図４に示すように、エッチング処理によるピットのマクロポアと陽極酸化処理によるミクロポアとの両者が形成され、さらに表面積の増大によって、従来の２／５倍の触媒担持量でも触媒効果を充分に発揮できることが判明した。
【００４１】
この方法によって、製造コストと触媒コストを合わせると約４０％のコスト低減が可能になる。かつ、陽極酸化処理や触媒担持処理時間の短縮による電気量の省エネルギー、そして、エッチング処理（ピット）と陽極酸化皮膜（多孔質微細孔）による表面積の増大で触媒担持力の増強なども可能になり、実用的に優れた触媒体が得られるため、前記の有害ガスの分解処理装置の普及に資する。
【発明を実施するための最良の形態】
【００４２】
本発明におけるアルマイト触媒体の最良の形態は、アルミニウム表面における（１，０，０）面の結晶方位占有率が９０％以上で厚さが１１０μｍのアルミニウム基板をエッチング処理し、エッチングピット深さが３０μｍ、ピット孔径が２μｍで、そのエッチング処理したアルミニウム基板を陽極酸化した皮膜の厚さが０．８μｍであり、そこに生成した微細孔の径が０．０３μｍ、担持した触媒量が０．２ｇ／ｍ２であるアルマイト触媒体である。
【００４３】
本発明のアルマイト触媒体の具体的な実施形態を実施例により説明する。ただし、本発明はこれら実施例によって、何らの制限を受けるものではない。このアルマイト触媒体の生成過程について、本発明の実施例と従来の比較例とを図１に示す。
【００４４】
（比較例１）
触媒を担持する（１，０，０）結晶方位占有率が９０％のアルミニウム濃度９９．９９％アルミニウム板(平板)に陽極酸化皮膜を浴温２５℃で燐酸濃度７ｗｔ％の水溶液中で直流により電流密度０．０７Ａ／ｃｍ２で８９,３７５秒間電解した。
その結果、陽極酸化皮膜厚さが約５０μｍ、微細孔径が平均０．０３μｍである陽極酸化皮膜が生成していることを確認した。そのアルミニウム板を塩化白金酸に定圧で浸漬し、白金を担持してアルマイト触媒を得た。この場合の触媒担持量は０．５０ｇ／ｍ２であった。
【実施例１】
【００４５】
触媒を担持する（１，０，０）結晶方位占有率が９９％のアルミニウム濃度９９．９９％アルミニウム板をエッチング浴温８０℃、５ｗｔ％塩酸＋２０ｗｔ％硫酸の浴で電流密度０．２０Ａ／ｃｍ２で５０秒間電解し、次に、エッチング浴温８０℃、５ｗｔ％硝酸浴で電流密度０．１０Ａ／ｃｍ２で５００秒間、いずれも直流で電解した。
得られたエッチング箔を測定した結果、アルミニウム箔表面からほぼ垂直に形成されたピットが、観察した視野の９９％以上を占め、エッチング深さは片面約３０μｍ、平均ピット径は２．０μｍのアルミニウム板を得た。その後、このエッチング処理したアルミニウム板を浴温２５℃で燐酸濃度７ｗｔ％の水溶液中で直流により電流密度０．０７Ａ／ｃｍ２で１,４３０秒間電解した。
その結果、陽極酸化皮膜の厚さが０．８μｍ、微細孔径が平均０．０３μｍの陽極酸化皮膜が生成していることを確認した。このエッチング処理および陽極酸化処理をしたアルミニウム板を塩化白金酸に定圧で浸漬し、白金を担持してアルマイト触媒を得た。この場合の触媒担持量は０．２０ｇ／ｍ２であった。
【実施例２】
【００４６】
実施例１において、触媒担持のアルミニウム（１，０，０）方位占有率を９５％にして、その後の処理を同様に行った。
その結果、ほぼ垂直に形成されたピットの占有率が９３％であり、エッチング深さが平均２０μｍ、平均ピット径は３．０μｍのアルミニウム板を得た。その後の陽極酸化処理、白金担持処理については実施例１と同様に行い、アルマイト触媒を得た。この場合の触媒担持量は０．１８ｇ／ｍ２であった。
【実施例３】
【００４７】
実施例１において、触媒担持のアルミニウム純度を９９．０％にして、（１，０，０）方位占有率は９５％にして、その後の処理を同様に行なった。
その結果、ほぼ垂直に形成されたピットの占有率が９３％であり、エッチング深さが平均２０μｍ、平均ピット径は３．０μｍのアルミニウム板を得た。その後の陽極酸化処理、白金担持処理については実施例１と同様に行い、アルマイト触媒を得た。この場合の触媒担持量は０．１８ｇ／ｍ２であった。
【実施例４】
【００４８】
実施例１において、エッチング浴温８０℃、５ｗｔ％塩酸＋２０ｗｔ％硫酸の浴で電流密度０．２０Ａ／ｃｍ２で５０秒間電解し、次に、エッチング浴温８０℃、５ｗｔ％硝酸浴で電流密度０．１０Ａ／ｃｍ２で１００秒間、いずれも直流で電解した。
その結果、ほぼ垂直に形成されたピットの占有率が９９％であり、エッチング深さが片
面平均３０μｍ、ピット径は平均０．２５μｍのアルミニウム板を得た。陽極酸化処理、
白金担持処理については実施例１と同様に行い、アルマイト触媒を得た。この場合の触媒
担持量は０．１６ｇ／ｍ２であった。
【実施例５】
【００４９】
実施例１において、エッチング浴温８０℃、５ｗｔ％塩酸＋２０ｗｔ％硫酸の浴中で電流密度０．２０Ａ／ｃｍ２で５０秒間電解し、次に、エッチング浴温８０℃、５ｗｔ％硝酸浴で電流密度０．１０Ａ／ｃｍ２で２００秒間、いずれも直流で電解した。
その結果、ほぼ垂直に形成されたピットの占有率が９９％であり、エッチング深さが片面平均３０μｍ、ピット径は平均０．５μｍのアルミニウム板を得た。その後の陽極酸化処理、白金担持処理については実施例１と同様に行い、アルマイト触媒を得た。この場合の触媒担持量は０．１５ｇ／ｍ２であった。
【実施例６】
【００５０】
実施例１において、エッチング処理は実施例１と同様に行い、陽極酸化処理を浴温２５℃で硫酸濃度７ｗｔ％の水溶液中で直流により電流密度０．０７Ａ／ｃｍ２で５,３００秒間電解した。
その結果、陽極酸化皮膜の厚さが３μｍ、微細孔径が平均０．００３μｍの陽極酸化皮膜が生成していることを確認した。その後の白金担持処理については実施例１と同様に行いアルマイト触媒を得た。この場合の触媒担持量は０．２０ｇ／ｍ２であった。
【実施例７】
【００５１】
実施例１において、エッチング処理は実施例１と同様に行い、陽極酸化処理を浴温２５℃で硫酸濃度７ｗｔ％の水溶液中で直流により電流密度０．０７Ａ／ｃｍ２で９,５００秒間電解した。その後、浴温６０℃、２０ｗｔ％の燐酸水溶液に３００秒浸漬し、微細孔径を拡大した。
その結果、陽極酸化皮膜の厚さが６μｍ、微細孔径が平均０．０３μｍの陽極酸化皮膜が生成していることを確認した。その後の白金担持処理については実施例１と同様に行いアルマイト触媒を得た。この場合の触媒担持量は０．５０ｇ／ｍ２であった。
【実施例８】
【００５２】
実施例１において、エッチング処理は実施例１と同様に行い、陽極酸化処理を浴温２５℃で硫酸濃度３ｗｔ％の水溶液中で直流により電流密度０．０７Ａ／ｃｍ２で１,４３０秒間電解した。その後、浴温６０℃、２０ｗｔ％の燐酸水溶液に３００秒浸漬し、微細孔径を拡大した。
その結果、陽極酸化皮膜の厚さが０．８μｍ、微細孔径が平均０．００４μｍの陽極酸化皮膜が生成していることを確認した。その後の白金担持処理については実施例１と同様に行い、アルマイト触媒を得た。この場合の触媒担持量は０．１０ｇ／ｍ２であった。
【実施例９】
【００５３】
実施例１において、エッチング処理は実施例１と同様に行い、陽極酸化処理を浴温２５℃で硫酸濃度７ｗｔ％の水溶液中で直流により電流密度０．０７Ａ／ｃｍ２で１,４３０秒間電解した。その後、浴温６０℃、２０ｗｔ％の燐酸水溶液に２００秒浸漬し、微細孔径を拡大した。
その結果、陽極酸化皮膜の厚さが０．８μｍ、微細孔径が平均０．０８μｍの陽極酸化皮膜が生成していることを確認した。その後の白金担持処理については実施例１と同様に行い、アルマイト触媒を得た。この場合の触媒担持量は０．１８ｇ／ｍ２であった。
【００５４】
（比較例２）
実施例１において、触媒担持のアルミニウム表面における（１，０，０）結晶方位占有率を８０％にしてエッチング浴温６５℃、５ｗｔ％塩酸＋２０ｗｔ％硫酸の浴で電流密度０．２０Ａ／ｃｍ２で５０秒間電解し、次に、エッチング浴温８０℃、５ｗｔ％硝酸浴で電流密度０．１０Ａ／ｃｍ２で５００秒間、いずれも直流で電解した。
その結果、アルミニウム表面に対してほぼ垂直に形成されたピットが減少すると共に、エッチング深さが平均１０μｍ、平均ピット径が４.５μｍのアルミニウム板を得た。その後の陽極酸化処理、白金担持処理については実施例１と同様に行い、アルマイト触媒を得た。この場合の触媒担持量は０．０８ｇ／ｍ２であった。
【００５５】
【表１】
2008126151.tif 000003
【００５６】
上記、従来例および実施例１〜６のアルマイト触媒担持体を用いて、揮発性有機化合物（ＶＯＣ）であるトルエンの触媒分解率を実験した。その触媒分解測定データを表１に示す。その結果、本発明のアルマイト触媒体はトルエン分解性能が従来例（比較例）と同等以上であることが判明した。
【００５７】
これらの実施例によるアルミニウム基板の表面処理コストと触媒担持量コストを合わせたアルマイト触媒体のコストは従来のアルマイト触媒体のコストの５０％であった。
【産業上の利用可能性】
【００５８】
本発明のアルマイト触媒体は厚さが非常に薄いアルミニウム板を利用し、かつその陽極酸化の皮膜を従来のものよりも非常に薄くし、触媒担持量もさらに削減し、本来の触媒効果を従来のものと同等以上としつつ、当該触媒体の生産コストを削減できた。これによって、脱臭、揮発性有機化合物、自動車排気ガス、焼却燃焼ガス等々の有害ガスを分解する環境浄化装置の実用化、普及に資するものである。
【図面の簡単な説明】
【００５９】
【図１】図１は、本発明のアルマイト触媒体の生成過程
【図２】図２は、本発明のアルミニウム成分とエッチング処理によるピット形成状態
【図３】図３は、本発明の陽極酸化皮膜形成の状態
【図４】図４は、本発明のアルマイト触媒体の多孔質細孔状態（分析）
【図１】
2008126151.tif 000004
【図２】
2008126151.tif 000005
【図３】
2008126151.tif 000006
【図４】
2008126151.tif 000007